(57)【要約】      （修正有）【課題】多種類の電池充電を行い、電池の過充電や充電不足が防止できる適応バッテリーの充電回路を提供する。【解決手段】電源回路と、単一チップマイクロコントローラを有する制御回路と、複数の並列接続された充電分岐路を有するパルス充電回路と、を備える。パルス充電回路の各充電分岐路は、単一チップマイクロコントローラーの単一ピンにより制御される。単一チップマイクロコントローラは、パルス充電回路と電流サンプリング回路から、タイムリーで得られる各充電分岐路の充電電圧信号と充電電流信号から、電池の種類や、電池の充電具合を判断し、電池の充電具合により充電を終了する。【選択図】図１
0003164134.tif 000002
【実用新案登録請求の範囲】
【請求項１】
電源回路、制御回路とパルス充電回路が備わり、該制御回路は単一チップマイクロコントローラがあり、該パルス充電回路は複数の並列接続された充電分岐路があり、各充電分岐路は、単一チップマイクロコントローラ一の単一ピンにより制御され、該単一チップマイクロコントローラは、パルス充電回路と電流サンプリング回路から、各充電分岐路の充電電圧信号と充電電流信号がタイムリーで得られ、それらを以って、プリセット基準データと比較照合し、電池の種類を判断することになるが、該単一チップマイクロコントローラは、時間の流れに伴う各充電分岐路の充電電圧信号及び充電電流信号の変化量、充電のパルスプラス及びパルスゼロ間電圧の差値情報を計算して、電池の現在の充電状態を判断し、そこで、該充電状態により電池の充電曲線作りを修正し、充電段階を確認することになるが、該単一チップマイクロコントローラは、電池の最大充電電圧、電圧ポジティブスロープ、ピークカット電圧値、デルタピーク電圧値、及び電池容量増加値を得て、電池の充電具合を判断し、電池の充電具合により充電を終了するように設けられることを特徴とする適応バッテリーの充電回路。
【請求項２】
該単一チップマイクロコントローラはカウンターがあり、電池の充電開始と同時にカウントが始まり、プリセットされた最大充電時間になると電池の充電を終了させるように設けられていることを特徴とする請求項１に記載の適応バッテリーの充電回路。
【請求項３】
それに表示部が備わり、該表示部は複数の並列接続された表示用分岐回路があり、各顯示用分岐回路は充電分岐路に対応の電池の充電状況が表示されることを特徴とする請求項１に記載の適応バッテリーの充電回路。
【請求項４】
該制御回路は更に、該単一チップマイクロコントローラの電源を立ち上げた時のリセットを行うためのパワーオンリセット回路が設けられていることを特徴とする請求項１に記載の適応バッテリーの充電回路。
【請求項５】
更にオプトカプラーがあり、該単一チップマイクロコントローラは、電池種類から該オプトカプラーを経て出力された制御信号により、電源回路の出力を制御して、電池種類による電池充電に適応できるように設けられることを特徴とする請求項１に記載の適応バッテリーの充電回路。
【請求項６】
該電源回路はスイッチ調整モジュールがあり、該スイッチ調整モジュールは、単一チップマイクロコントローラから出力された制御信号により、電源回路の出力を制御して、電池類別による電池充電に適応できるように設けられることを特徴とする請求項５に記載の適応バッテリーの充電回路。
【請求項７】
該電源回路はピーク電圧吸収回路があり、スイッチ調整モジュールの電源がオフになった際、電源回路に生じられるピーク電圧を吸収するために設けられていることを特徴とする請求項１に記載の適応バッテリーの充電回路。
【請求項８】
更に基準電圧源があり、単一チップマイクロコントローラに基準電圧を供給するために設けられていることを特徴とする請求項１に記載の適応バッテリーの充電回路。
【請求項９】
該電源回路に広い交流電圧入力ＡＣ８５−２６５Ｖ．が供給されることを特徴とする請求項１に記載の適応バッテリーの充電回路。
【考案の詳細な説明】
【技術分野】
【０００１】
本発明は電池の充電回路に関わり、具体的に異なった電池種類を識別し、それに対応の充電ソリューションを選定するための電池の充電回路に関する。
【背景技術】
【０００２】
従来の充電回路は、ニッケル水素、ニッケルカドミウム電池の充電、またはアルカリ電池の充電のみが普及されるのに対して、アルカリ電池、ニッケル水素、ニッケルカドミウム電池の充電を行うと同時に、電池の種類を識別し、充電ソリューションを自動に選定するためのオート適応の充電回路は、まだ認識されず、広く使用されないものであり、従来のアルカリ電池充電はすべて、電流制限定電圧法または一定時間制御法で行われ、これらの方法は不十分なところが多く、それはアルカリ電池は充電回数の増加により、内部抵抗も顕著に変化し、充電曲線也顕著区に変化するため、電流制限定電圧の充電法だけを使用した場合、幾つかのアルカリ電池はループで数回充電した後、その内部の電解液が放充電中に減少し、内部抵抗が高まり、満充電まで電流入力を停止させることになり、このような従来の充電方法では、充電効率が非常に低下し、充電不可能の場合も生じられること、また、幾つかの電池ループは数回充電した後、マイナス極の亜鉛ハンダに部分の結晶が発生し、内部抵抗が低下し、その時の充電力がほとんど電気分解水に用いられ、アルカリ電池の電解液の水分電気分解により水素と酸素が生じるが、これらの気体は電池内の圧力を向上させ、液漏れや爆発が起こりやすくなる。
【０００３】
従来の技術では、アルカリ電池、ニッケル水素電池、ニッケルカドミウム電池の適応充電技術については触れていないが、関係文献では現代の充電技術法については少し触れている。例えば、
１．中国特許ＺＬ０１１０９９９５．Ｘでは、多用途充電装置が設けられ、それにより、ニッケル水素、ニッケルカドミウム、鉛酸及び亜鉛マンガン一次普通電池の充電が可能となるが、しかし、電池の種類に対応するために、手作業によるスイッチＳ調整により、異なる定電圧の出力を選定することになり、このような技術は、適応型ではなく、直列接続による定電圧制御法であり、電池の内部抵抗や充電曲線が完全に同じものでないため、この充電法では過充電、充電不足や液漏れが起こりやすい。
【０００４】
２．中国特許出願番号９４１１１６４８．４では、二種類の電池タイプのオート適応充電器が提出され、電池の温度や電圧の試験に合格し、９種類の充電モードから最適な充電モードを選ぶことが実現されたが、アルカリ電池へのオート適応充電は不可能である。
【０００５】
これらの充電制御の新技術を見ると、いまのところ、すべての要素を考慮に入れ、アルカリ電池、ニッケル水素電池、ニッケルカドミウム電池の充電技術を全面的に解決するための適応充電ソリューションはない。
【考案の概要】
【考案が解決しようとする課題】
【０００６】
本発明は、適応バッテリーの充電回路を提供することを目的とし、従来の技術では、アルカリ電池、ニッケル水素電池とニッケルカドミウム電池に対して同時に適応充電できないという問題点を解決すること。
【課題を解決するための手段】
【０００７】
電源回路、制御回路とパルス充電回路が備わり、該制御回路は単一チップマイクロコントローラがあり、該パルス充電回路は複数の並列接続された充電分岐路があり、各充電分岐路は単一チップマイクロコントローラ一の単一ピンに制御され、該単一チップマイクロコントローラは、パルス充電回路と電流サンプリング回路から、各充電分岐路の充電電圧信号と充電電流信号がタイムリーで得られ、それらを以って、プリセット基準データと比較照合し、電池の種類を判断することになるが、該単一チップマイクロコントローラは、時間の流れに伴う各充電分岐路の充電電圧信号及び充電電流信号の変化量、充電のパルスプラス及びパルスゼロ間電圧の差値情報を計算して、電池の現在の充電状態を判断し、そこで、該充電状態により電池の充電曲線作りを修正し、充電段階を確認することになるが、該単一チップマイクロコントローラは、電池の最大充電電圧、電圧ポジティブスロープ、ピークカット電圧値、デルタピーク電圧値、及び電池容量増加値を得て、電池の充電具合を判断し、電池の充電具合により充電を終了させることになることを特徴とする該適応バッテリーの充電回路。
【０００８】
また、該単一チップマイクロコントローラはカウンターがあり、電池の充電開始と同時にカウントが始まり、プリセットされた最大充電時間になると電池の充電を終了させるように設けられている。
【考案の効果】
【０００９】
本発明は従来の技術に比較して、電池種類と充電状況に対応の完全調整可能となる適応バッテリーの充電回路を提供し、充電曲線と実際曲線が一致することが有効に保証され、最適な充電効果が達成されるほかに、各変化量の計算や信頼度の検査により、充電終了または快速充電を行わせるようにし、各充電分岐路の充電電池に対する単独の電力量検査、容量検査、タイムカウントなどが行なわれ、過充電や充電不足が有効に防止でき、電池の使用寿命が大幅に延びる。
【図面の簡単な説明】
【００１０】
【図１】本発明の適応充電回路の電子回路グロック線図。
【図２】本発明の適応充電回路の実施法一の具体的な電子回路図。
【考案を実施するための形態】
【００１１】
図１に示すように、本発明の適応バッテリーの充電回路は、電源回路２０、制御回路３０、パルス充電回路４０、電流サンプリング回路６０、表示部７０及び基準定電圧源８０が備わり、該電源回路２０に広い電圧交流入力ＡＣ８５−２６５Ｖ  １０が供給され、適当に転換されたあと、制御回路３０、表示部７０と基準定電圧源８０への使用電圧として用いられるが、また、該電源回路２０から基準定電圧源８０へ電圧が供給されて、基準定電圧源８０から制御回路３０の基準電圧として用いられる定電圧が出力されることになり、該制御回路３０の内部には、アルカリ電池、ニッケル水素電池とニッケルカドミウム電池など、それぞれプリセットされた最大電圧、最長時間、電源の初期出力電圧、内部抵抗、デルタピーク電圧値−△Ｖなどのシリーズパラメーターとプログラムが事前に保存されており、該制御回路３０は、該電流サンプリング回路６０から電池充電の電流情報がタイムリーで得られ、そして、パルス充電回路４０から充電電圧信号がタイムリーで得られるが、得られた充電情報により電池の充電状況を判断して、該制御電源回路２０の出力及びパルス充電回路４０の充電パルス幅またはデューティ比による電池５０充電を制御することになる。
【００１２】
次は、図２を参考に、本発明の適応バッテリーの充電回路に関するモジュールについてそれぞれ具体的に説明する。
【００１３】
電源回路２０：  電源回路２０へ流れた交流電圧８５−２６５ＶＡＣ  １０は、整流、フィルタの後、スイッチ調整モジュールＩＣ１により変圧器Ｔ１へ送られるが、変圧器Ｔ１からの出力電圧は二つあり、一つはダイオードＤ３とコンデンサーＣ５の整流・フィルタを経たあと、各電池充電のための電圧Ｖｃｃ１（３Ｖ）がパルス充電回路４０へ出力され、もう一つはダイオードＤ２とコンデンサーＣ４の整流・フィルタを経たあと、電圧Ｖｃｃ２（１０Ｖ）が二つの電子回路へ出力されることになり、該電子回路の一つは三極管Ｑ２とチップＩＣ７へ送られ、電圧の調整後で制御回路３０すなわち単一チップマイクロコントローラＩＣ５の動作に電圧Ｖｃｃ（５Ｖ）を出力し、もう一つは基準定電圧源８０へ送られ、基準定電圧源８０内の電圧安定チップＩＣ６の電圧補正後で、制御回路３０に基準電圧を供給するもの。
【００１４】
電源回路２０は、単一チップマイクロコントローラＩＣ５より、オプトカプラーＩＣ２から出力された制御信号で制御されるが、具体的には、電源回路２０内にスイッチ調整モジュールＩＣ１があり、オプトカプラーＩＣ２は単一チップマイクロコントローラＩＣ５１１ピンから出力された制御信号により、スイッチ調整モジュールＩＣ１の出力を制御し、電源回路２０が電池の種類や状態に応じて調整されることになる。
【００１５】
電源回路２０の内部には更に、ダイオードＤ１、抵抗Ｒ１とコンデンサーＣ３からなるピーク電圧吸収回路があり、それにより、スイッチ調整モジュールＩＣ１がオフになったときに変圧器Ｔ１から生じられるピーク電圧が吸収され、スイッチ調整モジュールＩＣ１の動作の安全性を確保することができる。
【００１６】
スイッチ調整モジュールＩＣ１内には１３５度保護回路があり（図示なし）、温度が上限温度を超えた場合、高温による部品の毀損が起こらないように、保護回路が電源回路２０の出力電力を自動的に低減することになる。
【００１７】
電流サンプリング回路６０は抵抗Ｒ５とＲ４を備えてなり、電池の充電回路に接続されているものであり、電池充電の電流サンプリングを行うために、各電池種類及び各電池状態に関する充電電流信号をタイムリーに単一チップマイクロコントローラＩＣ５の１３ピンへ送ることになる。
【００１８】
基準定電圧源８０は三極管Ｑ１、電圧安定チップＩＣ６、抵抗Ｒ２９、Ｒ３１、Ｒ３２、Ｒ３３、Ｒ３５及びコンデンサーＣ１４を備えてなり、単一チップマイクロコントローラＩＣ５の第４ピンから出力された制御信号により、異なった電圧補正値を単一チップマイクロコントローラＩＣ５の第１２ピンへ送り、基準電圧の供給を行なう。
【００１９】
表示部７０は複数の並列接続された表示用分岐回路があり、各分岐回路は表示灯ユニットと発光ユニットによる直列接続の抵抗があり、図２に示す表示部は、四本の表示用分岐回路があり、発光ダイオードＬＥＤ１、ＬＥＤ２、ＬＥＤ３、ＬＥＤ４及びそれぞれこれら発光ダイオードに接続する抵抗Ｒ２２、Ｒ２３、Ｒ２４、Ｒ２５、Ｒ２６、Ｒ４０、Ｒ４１、Ｒ４２からなり、該四本の表示用分岐回路は単一チップＩＣ５の第７ピン、８ピン、９ピン、１０ピンから各電池の表示情報を得て、それに対応の表示を行なうが、具体的な表示内容は下記の通り。
【００２０】
自己検査：  電源を入れたとき、すべて表示灯が点灯し、それぞれ赤と緑で交替点滅して、一秒間後消灯する。
【００２１】
ニッケル水素電池の充電指示：  電池が充電し、対応表示灯が赤で点灯する。
【００２２】
アルカリ電池の充電指示：  電池が充電し、対応表示灯が赤と緑で交替点滅する。
【００２３】
満充電の指示：  対応表示灯が緑で点灯する。
【００２４】
亜鉛マンガンの乾電池入れ：  適応充電回路から充電拒否、対応表示灯は何も表示しない。
【００２５】
電池の入れ方が逆になった場合：  適応充電回路の検査により異常と認められ、対応表示灯は赤で点滅する。
【００２６】
電池の接触不良：  対応表示灯が赤で点滅する。
【００２７】
毀損電池の入れ：  適応充電回路から充電されず、対応表示灯が赤で点滅する。
【００２８】
パルス充電回路４０は、ＭＯＳ管スイッチと抵抗による直列接続、接地によって構成されるが、ＭＯＳ管スイッチと抵抗が接続している箇所が電池へ接続し、充電するが、図２にあっては、四つのＭＯＳ管スイッチＩＣ３Ａ、ＩＣ３Ｂ、ＩＣ４Ａ、ＩＣ４Ｂがそれぞれ四つの抵抗Ｒ１０、Ｒ１２、Ｒ１３、Ｒ１５と直列接続されたあと、接地されて、四本の並列接続された充電分岐路が構成されており、該四本の並列接続された充電分岐路は、単一チップマイクロコントローラＩＣ５の第１ピン、２０ピン、１７ピン、１４ピンより、各電池の制御信号を得て、それに対応の開放・閉鎖を行ない、充電や充電停止など動作を実行させることになるが、該四本の充電分岐路の充電状況は、それぞれ表示部７０の四本の表示用分岐回路で表示され、また、各充電分岐路のＭＯＳ管スイッチと抵抗が接続している箇所は更に、それぞれ単一チップマイクロコントローラＩＣ５の第２ピン、３ピン、１８ピンと１９ピンへ接続し、各充電電池の充電電圧状況がタイムリーでサンプリングするのに用いられる。
【００２９】
制御回路３０は、単一チップマイクロコントローラＩＣ５、抵抗Ｒ２７、Ｒ２８、Ｃ１３を備えてなり、Ｒ２７とＣ１３はＩＣ５の構成である単一チップマイクロコントローラＩＣ５のパワーオンリセット回路、抵抗Ｒ２８は単一チップマイクロコントローラＩＣ５の第４ピンから出力された制御用基準定電圧源８０からの出力電圧補正値により行われる。
【００３０】
単一チップマイクロコントローラＩＣ５は、本発明の適応バッテリーの充電回路の核心部分であり、その具体的な動作内容は下記の通り。
【００３１】
初期化：  単一チップマイクロコントローラはリセット後、まず、各電池種類の最大充電電圧、最長充電時間、電源の初期出力電圧、内部抵抗、デルタピーク電圧値−△Ｖ（３ＭＶ）などのパラメーターを設定し、各出力・入力ポートへの定義付けを行ってから、自己検査を行う。
【００３２】
電池種類の確認：  単一チップマイクロコントローラＩＣ５の第３ピン、２ピン、１９ピン、１８ピンが各電池から得た電圧資料。第１３ピンのサンプリング電流データと単一チップマイクロコントローラＩＣ５内部に設定されてある各基準データを比較対照し、総合的判断を行なったあと、電池種類を正確に判別する。
【００３３】
充電段階の判断：  充電が始まると、プレ充電状態に入るが、充電中、各電池の電圧、時間の流れに伴って変化する電流の変化量、パルスプラスとパルスゼロ間の電圧差値などの情報を持続的にサンプリングし、電池の内部抵抗を総合的に分析算出して、電池の現在状態を計算することになり、電池の現在状態によりソフトウェアによって電池の充電曲線を修正、作成し、そして、電池状態により充電段階を判別する。
【００３４】
電池飽和具合の判断：  充電中電池に対して、最大電圧Ｖｍａｘ、電圧ポジティブスロープ、ピークカット電圧値０△Ｖ、デルタピーク電圧値−△Ｖ、最大時間Ｔｍａｘ、電池容量の増加値など、複数のパラメーターのサンプリングを通じて、総合的分析を行い、それにファジ制御技術による各データの信頼性検査結果を加えて、真偽を確かめることになるが、その現象が事実と判断した場合、それに対応する措置を講じて行なうが、そうでない場合は無視することになる。単一チップマイクロコントローラＩＣ５の内部には更にカウンターがあり（図示なし）、充電が始まると、カウント開始になるが、そのほかのパラメーターが効かないとき、該カウンターがプリセットされた最大時間になると、充電を終了させるが、それによって、各電池の過充電や充電不足が防止できる。
【００３５】
一部のボルトゼロや短絡の電池へのリカバリ：  充電回路でボルトゼロの電池を検出したとき、単一チップマイクロコントローラＩＣ５が当該電池に対して、パルス充電回路４０に、高頻度パルスでリカバリ充電を行なわせるようにし、リカバリ後、電池の電圧がプリセットされた電圧（０．８Ｖ）になった場合、快速充電を行い、逆の場合は．表示部７０が電池損壊と表示し、充電を停止するが、また、充電回路で短絡の電池を検出したとき、単一チップマイクロコントローラＩＣ５がから電源回路２０とパルス充電回路４０に、輸出高頻度の大きい電流パルスを出力させるようにし、電池の動作を行なわせる。
【００３６】
本発明の適応バッテリーの充電回路による動作原理について、次のように簡単に説明するが、単一チップマイクロコントローラＩＣ５は、電池からサンプリングした電圧信号を、デジタルフィルタにより、干渉や調波を除去して、電圧ポジティブスロープ、ピークカット電圧値０△Ｖ、デルタピーク電圧値−△Ｖ、最大電圧Ｖｍａｘなど、パラメーターの信頼度をチェックし、総合的判断を行なって、パルス充電回路４０の動作を制御することになるが、電流サンプリング回路６０はサンプリングした充電電流信号を単一チップマイクロコントローラＩＣ５へ送り、単一チップマイクロコントローラＩＣ５より転換され、基準電圧と比較対照したあと、制御信号を電源回路２０へ出力するが、それにより電源回路２０全体は、電池種類に応じて、充電電流や出力電力の調整を行い、それに電圧信号の判断結果を加えて、充電曲線と実際の電池曲線と一致させるようにする。なお、最大時間の制御は、単一チップマイクロコントローラＩＣ５内のカウンターによって行なわれるが、電池の充電が始まると、カウンター動作が始まるが、また、単一チップマイクロコントローラＩＣ５はサンプリングした電流信号により、電池の充電容量を計算し、電池の充電容量により最大電圧を持続的に補正するが、上述条件が一定の要求に一致したとき、単一チップマイクロコントローラＩＣ５がパルス出力を停止し、充電を終了させる。
【００３７】
〔効果の説明〕
該適応充電回路の長所は下記の通り。
【００３８】
該充電回路のハードウェア回路は簡単で、信頼性の高いものであり、制御回路３０は単一チップマイクロコントローラＩＣ５による制御が採用、電源回路２０は集積されたスイッチ調整モジュールが採用され、しかも、単一チップマイクロコントローラＩＣ５により、スイッチ調整モジュールを直接に制御し、高度の集積化を実現し、電子回路全体の周辺部品を大量に低減して、簡単化し、信頼性が高く、グローバル電圧対応可能の広い電圧交流入力８５−２６５ＶＡＣを使用していること。
【００３９】
単一チップマイクロコントローラＩＣ５は、電源回路２０を直接に制御し、電源回路２０全体は、電池の種類や充電状況に対応の調整が完全に行なわれ、充電曲線と実際曲線と一致するのが有効に保証され、最適な充電効果が達成されること。
【００４０】
ダイナミックモードを作り、各変化量への計算や信頼度のチェックにより、充電終了や快速充電を行うことになり、電池の充電不足または過充電が有効に防止でき、電池の使用寿命が大幅に延びること。
【００４１】
一部のボルトゼロや短絡の電池へのリカバリ。
【００４２】
高倍率の電流充電が行なわれ、充電時間が短く、充電回路コストが低く、単一チップマイクロコントローラＩＣ５と電源との結合性がよく、電源と単一チップマイクロコントローラＩＣ５が十分に利用されること。
【００４３】
ハードウェア電子回路の実現は簡単で信頼性が高く、充電回路に保護装置があり、安全で信頼できること。
【００４４】
各充電分岐路による充電電池に対する単独の電力量検査、容量検査、タイムカウントなどが行なわれるため、直列接続の充電で各電池に対する単独検査が行われなくて生じられる過充電や充電不足を防止できること。
【００４５】
該充電回路では、ニッケル水素とアルカリ電池の混合充電が可能となり、複数の電池ＡＡまたは電池ＡＡＡに対する同時充電も可能であること。
【図１】
0003164134.tif 000003
【図２】
0003164134.tif 000004
【手続補正書】
【提出日】平成22年9月7日(2010.9.7)
【手続補正１】
【補正対象書類名】実用新案登録請求の範囲
【補正対象項目名】全文
【補正方法】変更
【補正の内容】
【実用新案登録請求の範囲】
【請求項１】
電源回路（２０）と、
単一チップマイクロコントローラ（ＩＣ５）を有する制御回路（３０）と、
複数の並列接続された充電分岐路を有するパルス充電回路（４０）と、
を備えた適応バッテリーの充電回路であって、
該パルス充電回路（４０）の各充電分岐路は、該単一チップマイクロコントローラ一（ＩＣ５）の単一ピン（Ｐ1，Ｐ2，Ｐ3，Ｐ4）により制御され、
該単一チップマイクロコントローラ（ＩＣ５）は、
（i）該パルス充電回路（４０）と電流サンプリング回路（６０）から、タイムリーで得られる各充電分岐路の充電電圧信号と充電電流信号とを以って、プリセット基準データと比較照合し、電池の種類を判断し、
（ii）時間の流れに伴う各充電分岐路の充電電圧信号及び充電電流信号の変化量、充電のパルスプラス及びパルスゼロ間電圧の差値情報を計算して、電池の現在の充電状態を判断し、そこで、該充電状態により電池の充電曲線作りを修正し、充電段階を確認し、
（iii）電池の最大充電電圧、電圧ポジティブスロープ、ピークカット電圧値、デルタピーク電圧値、及び電池容量増加値を得て、電池の充電具合を判断し、電池の充電具合により充電を終了する
ように設けられることを特徴とする適応バッテリーの充電回路。
【請求項２】
該単一チップマイクロコントローラは、カウンターを有し、
該カウンターにて電池の充電開始と同時にカウントを開始し、プリセットされた最大充電時間になると電池の充電を終了させるように設けられていることを特徴とする請求項１に記載の適応バッテリーの充電回路。
【請求項３】
さらに表示部を備え、
該表示部は複数の並列接続された表示用分岐回路を有し、各表示用分岐回路が充電分岐路に対応の電池の充電状況を表示させることを特徴とする請求項１に記載の適応バッテリーの充電回路。
【請求項４】
該制御回路は更に、該単一チップマイクロコントローラの電源を立ち上げた時のリセットを行うためのパワーオンリセット回路が設けられていることを特徴とする請求項１に記載の適応バッテリーの充電回路。
【請求項５】
更にオプトカプラーを有し、
該単一チップマイクロコントローラは、電池種類から該オプトカプラーを経て出力された制御信号により、電源回路の出力を制御して、電池種類による電池充電に適応できるように設けられることを特徴とする請求項１に記載の適応バッテリーの充電回路。
【請求項６】
該電源回路はスイッチ調整モジュールを有し、
該スイッチ調整モジュールは、単一チップマイクロコントローラから出力された制御信号により、電源回路の出力を制御して、電池類別による電池充電に適応できるように設けられることを特徴とする請求項５に記載の適応バッテリーの充電回路。
【請求項７】
該電源回路はピーク電圧吸収回路を有し、
スイッチ調整モジュールの電源がオフになった際、電源回路に生じられるピーク電圧を吸収するために設けられていることを特徴とする請求項１に記載の適応バッテリーの充電回路。
【請求項８】
更に基準電圧源を有し、
単一チップマイクロコントローラに基準電圧を供給するために設けられていることを特徴とする請求項１に記載の適応バッテリーの充電回路。
【請求項９】
該電源回路に広い交流電圧入力ＡＣ８５−２６５Ｖ．が供給されることを特徴とする請求項１に記載の適応バッテリーの充電回路。